(57)【要約】【課題】  流し台での水仕事のときに、飛び水による衣類や床がぬれたり汚れたりするのを防ぐことを通常の家事作業に支障なくできる流し台の水濡れ防止エプロンを提供する。【解決手段】  防水性の生地を用いて通常のエプロンの形状とし、首掛け部分をプラスチック製にてフックの形状とし、首に掛けるのではなく肩に掛けるようにして、掛ける、外すを早く、簡単にでき、エプロンの裾部分を水槽の内壁に吸盤にて吸着固定させることで飛びついた水は、エプロン表面を流れて水槽内に戻る。また、水槽の内壁に吸盤にて吸着固定させたまま肩掛けフックをはずして、その肩掛けフックを水槽の壁に掛けることで、その他の家事作業が平行して行えるため台所での総合的な作業に支障なく使用できることを特徴とする流し台の水濡れ防止エプロン。【選択図】図１
2006052513.tif 000002
【特許請求の範囲】
【請求項１】
防水性の生地を用いて通常のエプロンの形状とし、首掛け部分をプラスチック製にてフックの形状とし、首に掛けるのではなく肩に掛けるようにし、エプロンの裾部分を水槽の内壁に吸盤にて吸着固定させたまま肩掛けフックを水槽の壁に掛けることができることを特徴とする流し台の水濡れ防止エプロン。
【請求項２】
エプロン裾部分を水槽の内壁に吸盤にて吸着固定し、エプロン表面に飛びついた水を水槽内に流し戻すことを特徴とする流し台の水濡れ防止エプロン。
【発明の詳細な説明】
【技術分野】
【０００１】  本発明は、流し台での水仕事のときに、飛び水により衣類や床がぬれたり汚れたりするのを防ぐことができる流し台の水濡れ防止エプロンに関するものである。
【背景技術】
【０００２】  従来、流し台での水仕事のときの飛び散る水は通常、布製エプロンが主流になっているが、布製のために防水性はないため水は衣類まで達してしまい、床周りにも飛び散っていたものである。
【発明の開示】
【発明が解決しようとする課題】
【０００３】  流し台での水仕事のときに、飛び水により衣類が濡れたり、床がぬれたりすることで、汚れたり、床の腐りや、衛生面での問題がある。本発明は、これらの問題点を解決するためになされるものである。
【課題を解決するための手段】
【０００４】  防水性の生地を用いて通常のエプロンの形状とし、首掛け部分をプラスチック製にてフックの形状とし、首に掛けるのではなく肩に掛けるようにして、掛ける、外すを早く、簡単にする。【０００５】  エプロン裾部分の丈を水槽中間までの長さにして、水槽の内壁に吸盤にて吸着固定することで飛びついた水は、エプロン表面を流れて水槽内に戻ることになる。【０００６】  エプロンの裾部分を水槽の内壁に吸盤にて吸着固定させたまま肩掛けフックをはずして、その肩掛けフックを水槽の壁に掛けることができることで水仕事以外のことをするための状態へ瞬時且つ、簡単に移り変われるものである。また、水仕事を始める時も水槽の壁に掛けられた肩掛けフックを肩に掛けるだけで水を扱い始めることが出来るものである。【０００７】  また、本発明のエプロンは水仕事での使用中でも、水槽側に吸着させた吸盤を外し、エプロン本体の吸着版に付けて器状にできることでエプロンについた水を落とすことなく装着したまま移動することが出来るものである。【０００８】  本発明のエプロンを使用した後の状態としては、表面にまだ水滴がついている状態のため、乾燥させる必要がある。そのために、エプロン本体上部の吸盤、もしくは肩掛けフックにより壁に掛け、エプロンの裾下端部分を水槽側へ垂らすことができることで水切り、乾燥及び、収納させるものである。また、水槽近くにエプロンをかけるための壁がなく水を切ることができない場合は、水槽側に吸着させるための吸盤をエプロン本体の吸着版に吸着して器状にできることで、エプロンについた水を落とすことなく収納させることもできるものである。
【発明の効果】
【０００９】  本発明は、流し台での水洗い仕事のときに、飛び水による衣類や床がぬれたり汚れたりするのを防ぎ、脱着及び、仮置きが容易にできるため、その他の家事作業が平行して行えるため台所での総合的な作業に支障なく使用できる。
【発明を実施するための最良の形態】
【００１０】  以下、本発明の形態を説明する。
防水生地からなる防水エプロン（１０）の上端両端部に塩化ビニル樹脂などの半硬質の吸盤吸着板（１３−１）、（１３−２）を固定し、弾力性のあるプラスチック製の肩掛け脱着フック（１１−１）、（１１−２）の端部に吸盤（１２−１）、（１２−２）を固定したものを吸盤吸着板（１３−１）、（１３−２）に吸着することで、流し台の水濡れ防止エプロン（１）本体を身体側に固定するものである。【００１１】  防水エプロン（１０）の下端両端部に両面吸盤（１４−１）、（１４−２）を固定し、水槽側の内壁に吸着させて固定するものであり、また、防水エプロン（１０）の両面吸盤（１４−１）、（１４−２）上部に塩化ビニル樹脂などの半硬質の吸盤吸着板（１５−１）、（１５−２）を固定し、そこへ両面吸盤（１４−１）、（１４−２）を吸着させ、エプロン下端を器状にすることでエプロンを装着したままの移動や、吸盤（１６）による壁掛けをしたとき、使用時に防水エプロン（１０）の表面についた水滴を落とすことのない状態にできるものである。【００１２】  また、下端両端部の両面吸盤（１４−１）と（１４−２）の間の防水エプロン（１０）端辺沿いにゴムバンド（１８−１）を仕込むことで、水槽の内壁へ吸着させ時に、たるみなく密着性が得られるものである。【００１３】  上記と同じように、両面吸盤（１４−１）、（１４−２）と上部の吸盤吸着板（１５−１）、（１５−２）の間の防水エプロン（１０）端辺沿いにゴムバンド（１８−２）、（１８−３）を仕込むことで、流し台の水濡れ防止エプロン（１）を装着して食器などの洗物を水切り台や、乾燥機などに置くときなどの体の伸びに合わせて伸縮、密着することができるものである。【００１４】  防水エプロン（１０）の上端部中央に吸盤（１６）を固定し、これにより使用を終えた、流し台の水濡れ防止エプロン（１）を壁タイルなどに吸着させることで収納及び、水切り、乾燥させることができるものである。【００１５】  防水エプロン（１０）の上部中央にポケット（１７）を取り付けることで、手拭タオルなどを入れたり、壁掛け収納時に肩掛け脱着フック（１１−１）を掛けることができるものである。
【図面の簡単な説明】
【００１６】
【図１】本発明の、着装使用の斜視図。
【図２】本発明の、仮置きの斜視図。
【図３】本発明の、着装移動の斜視図。
【図４】本発明の、壁掛け収納の斜視図。
【符号の説明】
【００１７】１        流し台の水濡れ防止エプロン
１０      防水エプロン
１１−１  肩掛け脱着フック
１１−２  肩掛け脱着フック
１２−１  吸盤
１２−２  吸盤
１３−１  吸盤吸着板
１３−２  吸盤吸着板
１４−１  両面吸盤
１４−２  両面吸盤
１５−１  吸盤吸着板
１５−２  吸盤吸着板
１６      吸盤
１７      ポケット
８−１    ゴムバンド
８−２    ゴムバンド
８−３    ゴムバンド
【図１】
2006052513.tif 000003
【図２】
2006052513.tif 000004
【図３】
2006052513.tif 000005
【図３】
2006052513.tif 000006
【手続補正書】
【提出日】平成16年10月21日(2004.10.21)
【手続補正１】
【補正対象書類名】図面
【補正対象項目名】全図
【補正方法】変更
【補正の内容】
【図１】
2006052513.tif 000007
【図２】
2006052513.tif 000008
【図３】
2006052513.tif 000009
【図４】
2006052513.tif 000010